(57)【要約】【解決手段】本発明は、第１取り付け部材と、第１取り付け部材に対して軸の周りで回転自在に設けられた第２取り付け部材と、軸の周りで回転自在に設けられた偏心輪と、第１取り付け部材によって軸に対して半径方向にガイドされるとともに偏心輪から作用を受けて半径方向外側に移動することで第２取り付け部材と相互作用して車両座席用取り付け具をロックする複数の固定部材と、偏心輪に対して作用するバネ機構（１７）とを備えた車両座席用取り付け具、特に、自動車座席用取り付け具に関する。  そして、バネ機構（１７）は、その一方が他方の内側に入れ子状に収められた状態で中心的に配置された２つのバネ（２７、２８）から構成されている。【選択図】  図４
2009509597.tif 000002
【特許請求の範囲】
【請求項１】
第１取り付け部材（７）と、該第１取り付け部材（７）に対して軸（Ａ）の周りで回転自在に設けられた第２取り付け部材（８）と、前記軸（Ａ）の周りで回転自在に設けられた偏心輪（１１；１１１）と、前記第１取り付け部材（７）によって軸（Ａ）に対して半径方向にガイドされるとともに前記偏心輪（１１；１１１）から作用を受けて半径方向外側に移動することで第２取り付け部材（８）と相互作用して車両座席用取り付け具（５）をロックする複数の固定部材（１３）と、前記偏心輪（１１；１１１）に対して作用するバネ機構（１７；１１７）とを備えた車両座席用取り付け具、特に、自動車座席用取り付け具において、
前記バネ機構（１７；１１７）が、その一方が他方の内側に入れ子状に収められた状態で中心的に配置された２つのバネ（２７、２８；１２７、１２８）からなることを特徴とする車両座席用取り付け具。
【請求項２】
前記バネ機構（１７；１１７）が、前記第１取り付け部材（７）の中央切欠部内に配置されていることを特徴とする請求項１記載の車両座席用取り付け具。
【請求項３】
前記バネ機構（１７；１１７）が、前記偏心輪（１１；１１１）から軸方向にオフセットした平面上に配置されていることを特徴とする請求項１または請求項２記載の車両座席用取り付け具。
【請求項４】
前記２つのバネ（２７、２８；１２７；１２８）が、前記軸（Ａ）の周りにそれぞれ配置されていることを特徴とする請求項１乃至請求項３のいずれかに記載の車両座席用取り付け具。
【請求項５】
前記２つのバネ（２７、２８；１２７；１２８）が、前記軸（Ａ）に対して相互に１８０°だけオフセットした状態で配置されていることを特徴とする請求項１乃至請求項４のいずれかに記載の車両座席用取り付け具。
【請求項６】
前記２つのバネ（２７、２８；１２７；１２８）が、それぞれ渦巻状に設計されていることを特徴とする請求項１乃至請求項５のいずれかに記載の車両座席用取り付け具。
【請求項７】
前記２つのバネ（２７、２８；１２７；１２８）が、前記第１取り付け部材（７）に対して外側バネ端部によりそれぞれ支持されていることを特徴とする請求項６記載の車両座席用取り付け具。
【請求項８】
前記２つのバネ（２７、２８；１２７；１２８）が、前記偏心輪（１１；１１１）に対して内側バネ端部によりそれぞれ作用していることを特徴とする請求項６または請求項７記載の車両座席用取り付け具。
【請求項９】
前記内側バネ端部が、前記偏心輪（１１）に対して係合するように軸方向に突出形成された端部フィンガー（２７ａ；２８ａ）として設計されていることを特徴とする請求項８記載の車両座席用取り付け具。
【請求項１０】
前記内側バネ端部が、前記偏心輪（１１１）に突出形成された突起部（１１１ｂ）に係合するフック（１２７ｂ；１２８ｂ）として設計されていることを特徴とする請求項７記載の車両座席用取り付け具。
【請求項１１】
座席部材（３）と、該座席部材（３）に対して請求項１乃至請求項１０のいずれかに記載の車両座席用取り付け具（５）により取り付けられているとともに前記座席部材に対して旋回自在かつ異なる傾斜位置において固定自在な背もたれ（４）とを有していることを特徴とする車両座席（１）。
【発明の詳細な説明】
【技術分野】
【０００１】
本発明は、請求項１の前提項の特徴を有する車両座席用取り付け具に関し、特に、自動車座席用取り付け具に関する。
【背景技術】
【０００２】
この種の従来の車両座席用取り付け具は、ＤＥ１０２５３０５４Ａ１に記載されているように、半径方向に相互に対向する２つのバネからなるバネ機構と、このバネ機構に対して軸を中心として対称な状態、すなわち、車両座席用取り付け具のロック時に横方向の力に関して釣り合いのとれた状態で係合する偏心輪と、この偏心輪の一部を介して偏心輪と係合する２つの固定部材とを備えている。
前述したバネ機構を構成する２つのバネは、固定部材と同一平面上に配置されているとともに、この固定部材に対して軸を中心としてそれぞれ９０°ずつオフセットした状態で配置されている。
【発明の開示】
【発明が解決しようとする課題】
【０００３】
本発明の目的は、前述したような従来の車両座席用取り付け具を改良することである。
本発明の目的は、請求項１の特徴を備えた車両座席用取り付け具によって達成される。
有益な改良は、従属請求項の要旨である。
【課題を解決するための手段】
【０００４】
本発明において用いられるバネ機構は、一方が他方の内側に入れ子状に（nested one inside the other）収められた状態で車両座席用取り付け具の中心に配置されて、対称な状態、すなわち、横方向の力に関して釣り合いのとれた状態で偏心輪に対して作用するようになっている。
この結果、偏心輪が横方向の力を受けた場合に生じがちな偏心輪の所定位置からの変位を防止して、偏心輪が本来の機能を充分に発揮できるようになっている。
そして、前述したようにバネ機構を車両座席用取り付け具の中心に配置した結果、より多くの固定部材もしくはその他の構成部材を配置するための構造空間を確保できるようになっている。
さらには、このようにして固定部材の個数を増加させた場合、負荷に対する車両座席用取り付け具の耐性が向上して車両座席用取り付け具をシートベルト一体型の座席に適用でき、車両座席用取り付け具の汎用性が向上するようになっている。
【０００５】
バネ機構を配置するのに必要とされる構造空間を小さくするため、バネ機構は第１取り付け部材に形成された中央切欠部内に配置されているのが好ましく、なお、この中央切欠部は、連続的に形成された開口部もしくは片側において閉鎖された凹部のいずれであっても差し支えない。
偏心輪を配置するのに必要とされる構造空間を確保するため、バネ機構は偏心輪に対して軸方向にオフセットした平面内に配置されており、これは、第１取り付け部材を中央切欠部の領域において平面状に設計することによって、簡単な態様で達成されるようになっている。
【０００６】
前述した２つのバネは、軸の周りに配置されており、特に、この軸に対して相互に１８０°ずれた状態で配置されているのが好ましく、その結果、偏心輪に対して対称的に作用するようになっている。
構造空間を節約するために渦巻状に設計された２つのバネは、外側バネ端部および内側バネ端部をそれぞれ有している。
２つのバネは、外側バネ端部によって第１取り付け部材上で支持されているのが好ましく、特に、第１取り付け部材の中央切欠部内に形成された半径方向溝などに外側バネ端部を取り付けることで支持されているのが好ましい。
また、２つのバネは、内側バネ端部によって偏心輪に対して作用するようになっている。
さらには、この内側バネ端部は、軸方向にオフセットした平面上に配置された偏心輪と係合するように軸方向に突出形成した端部フィンガーとして設計されているのが好ましく、または、内側バネ端部がフック状に形成されているとともに偏心輪がこの内側バネ端部と係合するように軸方向に突出形成した突起部を有していても何ら構わない。
【０００７】
本発明の車両座席用取り付け具は、背もたれと座席部材とを接続するとともに背もたれの傾斜調整を担うように設計されているが、それ以外の態様や目的で車両座席に用いても何ら構わない。
【０００８】
本発明を図面に示す一実施例およびその変形例に基づいて、以下に詳細に説明する。
【発明を実施するための最良の形態】
【０００９】
本発明の一実施例である車両座席１は、座席部材３と、左右一対の車両座席用取り付け具５を介して傾斜調整可能な状態で座席部材３に取り付けられた背もたれ４とを備えている。
車両座席１の配向および通常の移動方向が、以下に使用する方向を規定している。
車両座席１は、シートベルトを一体化した座席として設計されており、すなわち、シートベルトの上端部は、背もたれ４の上縁部に設けられた自動シートベルト装置に固定されている。
車両が外部負荷を受けた際にシートベルトを介して背もたれ４へ伝わる外部負荷は、車両座席用取り付け具５を介して座席部材３に伝えられるため、車両座席１の少なくとも一方側、すなわち、より高い外部負荷を受けるとともにシートベルトが取り付けられた側に取り付けられた車両座席用取り付け具５は、高負荷対応の車両座席用取り付け具として設計されている。
【００１０】
車両座席用取り付け具５は、ＤＥ１０２５３０５４Ａ１に記載された車両座席用取り付け具と同様の原理に基づくものであり、そのため、本発明は、ＤＥ１０２５３０５４Ａ１の開示内容を含有するものである。
車両座席用取り付け具５は、ディスク形状を呈する掛け金式の車両座席用取り付け具として設計されている。
車両座席用取り付け具５は、第１取り付け部材７と、この第１取り付け部材７に対して軸Ａの周りで回転自在な第２取り付け部材８とを有しており、これら第１取り付け部材７と第２取り付け部材８とは、相互間に構造空間を形成している。
リング形状を呈する留め輪９が、第２取り付け部材８に係合するとともに第１取り付け部材７に接続されており、その結果、第１取り付け部材７と第２取り付け部材８は、軸方向にそれぞれ保持されている。
本実施例においては、第１取り付け部材７が座席部材３に接続され、第２取り付け部材８が背もたれ４に接続されている。
なお、逆の配置、すなわち、第１取り付け部材７を背もたれ４に接続するとともに第２取り付け部材８を座席部材３に接続しても何ら構わない。
【００１１】
軸Ａを中心として回転自在な状態で第２取り付け部材８に取り付けられたドライバー１０は、車両座席用取り付け具５の中央に配置されている。
前述した構造空間内に配置された偏心輪１１は、ドライバー１０に対して回り止めされた状態で、または、少なくともドライバー１０に対して係合した状態で配置されてドライバー１０の動作に追従するようになっている。
この偏心輪１１は、構造空間内において９０°ずつオフセットされた状態で偏心輪１１の半径方向外側（軸Ａに対して）に配置された４つの固定部材１３に対して作用するようになっており、この固定部材１３は、その半径方向外側に形成された歯部で第２取り付け部材８の内歯車として形成された歯付きリング１４と相互作用するようになっている。
固定部材１３は、第１取り付け部材７に形成されたガイドセグメント１５によって半径方向にガイドされている。
第２取り付け部材８は、第１取り付け部材７に形成された４つのガイドセグメント１５
の半径方向外側に歯付きリング１４を配置した状態で第１取り付け部材７に取り付けられている。
【００１２】
第１取り付け部材７の中央開口の内部には、バネ機構１７が配置されており、このバネ機構１７が偏心輪１１に作用することで固定部材１３を半径方向外側に押圧し、固定部材１３が歯付きリング１４に噛合して車両座席用取り付け具５をロックするようになっている。
制御ディスク１９は、構造空間内において軸方向に固定部材１３と第２取り付け部材８との間に配置されており、本実施例では、偏心輪１１に対して回り止めされた状態で固定部材１３と第２取り付け部材８との間に配置されている。
この制御ディスク１９は、固定部材１３に軸方向に突出形成されたラグ１３´とそれぞれ相互作用する４つのスロットガイドセグメント１９´を有している。
そして、ドライバー１０を回転させることで偏心輪１１と制御ディスク１９とがバネ機構１７の力に反して回転し、制御ディスク１９は固定部材１３を半径方向内方に引きこんで固定部材１３と歯付きリング１４との噛合状態を解除させ、車両座席用取り付け具５のロックを解除するようになっている。
【００１３】
ドライバー１０は、そのハブを介して第２取り付け部材８の中央開口内に取り付けられている。
ドライバー１０に一体成形された２つのリブ１０´は、軸方向に第２取り付け部材８の内側に当接するようになっており、また、第２取り付け部材８の軸方向外側に配置された固定リング２０は、車両座席用取り付け具５の組立を行う際にドライバー１０のハブに固着されるようになっている。
このようにして、ドライバー１０は、軸方向に固定されている。
【００１４】
通常使用時において車両座席用取り付け具５を円滑に操作するため、固定部材１３と第１取り付け部材７のガイドセグメント１５との間には空間的遊びが形成されており、この遊びに起因して雑音が発生するおそれがある。
この雑音の発生を防止するため、車両座席用取り付け具５のロック時に、固定部材１３は、通常の状況において半径方向に対する横方向に傾斜して前記空間的遊び、特に、周方向における空間的遊びを補償するようになっている。
このような空間的遊びの補償を実現するため、第１偏心カム２１と第２偏心カム２２とが、偏心輪１１の外周にそれぞれ４つずつ形成されており、このうち第１偏心カム２１は、第２偏心カム２２を半径方向に超えて突出した状態を呈している。
そして、相互に隣接する第１偏心カム２１と第２偏心カム２２とを１つのペアとして捉えた場合、偏心輪１１に形成された４つのペアは、ペア内における第１偏心カム２１と第２偏心カム２２との配置順を偏心輪１１の外周に沿ってペアごとに交互に変化させ、すなわち、第１偏心カム２１と第２偏心カム２２とは、偏心輪１１の外周に沿って２つずつ交互に配置されている。
さらに、前述した各ペアには、固定部材１３が１つずつ割り当てられている。
各固定部材１３の偏心輪１１に対向する半径方向内側面には、同一形状の２つの固定カム２３が、固定部材１３の半径方向中心線からそれぞれオフセットした状態で設けられており、一方の固定カム２３は第１偏心カム２１に割り当てられているとともに他方の固定カム２３は第２偏心カム２２に割り当てられている。
【００１５】
偏心輪１１が固定部材１３に作用することで固定部材１３を半径方向外側に押し込むようになっており、その際、第１偏心カム２１のみが固定カム２３に接触して第２偏心カム２２と固定カム２３との間には隙間が存在するようになっている。
そして、半径方向外側に押し込まれた固定部材１３が歯付きリング１４に係合した後、固定部材１３は、図３において矢印で示された方向に傾斜、すなわち、僅かに回転して前述した空間的遊びを補償するようになっている。
その結果、各固定部材１３は、斜め支材として機能して、すなわち、３箇所のポイントＰ、すなわち、偏心輪１１の第１偏心カム２１と第１取り付け部材７のガイドセグメント１５と第２取り付け部材８の歯付きリング１４と接触するようになっている。
前述したように第１偏心カム２１と第２偏心カム２２のペア内における第１偏心カム２１と第２偏心カム２２との配置順が偏心輪１１の外周に沿ってペアごとに交互に変化しているため、各固定部材１３は、互い違いの方向に、すなわち、隣接した固定部材１３とは偏心輪１１に向かって反対の方向にそれぞれ傾斜するようになっている。
偏心輪１１を挟んで相互に対向する２つの固定部材１３は、偏心輪１１に向かって同じ方向、かつ、他の２つの固定部材１３の傾斜方向とは反対の方向にそれぞれ傾斜するようになっている。
【００１６】
衝突事故の発生時には、例えばシートベルトを介して、衝突の外部負荷が背もたれ４にかかって、第２取り付け部材８がトルクを受けるようになっている。
その結果、第２取り付け部材８は、歯付きリング１４を介して４つの固定部材１３に周方向の力を及ぼすようになっている。
そして、この周方向の力と同じ方向に傾斜する２つの固定部材１３に関しては、第一に、衝突時に発生する外部負荷を即座に伝えることが可能であり、第二に、弾性変形、および／または、塑性変形して僅かに傾斜することで、通常時には固定カム２３と接触することのない第２偏心カム２２と接触する、すなわち、固定カム２３と第２偏心カム２２との間に存在する隙間をなくすように動作するように設計されている。
しかしながら、このような固定部材１３の微小な動作は、固定部材１３による周方向の力に対する抗力、すなわち、外部負荷に対する周方向の強度の低下を招いてしまう。
さらに周方向の力が増大した場合には、周方向の力は、固定カム２３を介して偏心輪１１に伝わるようになっている。
そして、前述した２つの固定部材１３以外の２つの固定部材１３に関しては、この周方向の力が、その傾斜方向とは逆の方向に作用するようになっている。
その結果、これらの２つの固定部材１３は、その傾斜方向とは逆の方向に傾斜することで、第１偏心カム２１を介して周方向の力を偏心輪１１に直接的に伝えるようになっている。
これら２つの固定部材１３の場合には、外部負荷に対するより強い周方向の強度を発揮するようになっている。
【００１７】
通常状態において２つの固定部材１３と他方の２つの固定部材１３とがそれぞれ逆の方向に傾斜していることにより、正面衝突と背面追突のいずれの場合においても同様の機能を発揮するようになっており、すなわち、正面衝突または背面追突に起因して発生する周方向の力は、一方で、周方向と同じ方向に傾斜する２つの固定部材１３については、この固定部材１３が弾性変形、および／または、塑性変形することで固定カム２３と第２偏心カム２２とを接触させて周方向の力を偏心輪１１に伝え、他方で、周方向と逆の方向に傾斜する２つの固定部材１３については、固定カム２３と第１偏心カム２１とで周方向の力を直接的に偏心輪１１に伝えるようになっている。
このため、外部負荷に対する強度は、２つの固定部材１３のみを有する場合においてだけではなしに、全ての固定部材１３が同じ方向に傾斜しており、したがって負荷方向がより低い強度と対立する構成においても、全体として有意に高くなる。
【００１８】
構造空間内における配置の関係上、バネ機構１７は、第１取り付け部材７の中央に配置されている。
バネ機構１７が偏心輪１１に一方側においてのみ作用した場合、偏心輪１１をその中心と軸Ａとが一致した位置から一致しない位置へと変位させるような横方向の力が生じることになるため、偏心輪１１の機能が低下してしまうおそれがある。
このような偏心輪１１の機能低下を防止するために、バネ機構１７は、渦巻バネとしてそれぞれ設計された第１バネ２７と第２バネ２８とから構成されている。
これら第１バネ２７および第２バネ２８は、軸Ａを中心として相互に１８０°ずれた状態で配置されているとともに一方が他方の内側に入れ子状に収められおり、すなわち、第２バネ２８の渦巻が第１バネ２７の２個の渦巻の間に位置するとともに、第１バネ２７の渦巻が第２バネ２８の２個の渦巻の間に位置しており、いずれの場合においても、収縮自在または伸展自在になるような撓みを生じる大きさで形成されている。
【００１９】
これら第１バネ２７および第２バネ２８は、半径方向に曲折した形状を呈する各々の外側バネ端部を第１取り付け部材７の中央開口に形成された２つの半径方向溝にそれぞれ嵌合することで、第１取り付け部材７に支持されており、２つの半径方向溝は、軸Ａを中心として半径方向の反対側にそれぞれ形成されている。
第１バネ２７および第２バネ２８は、内側バネ端部としてそれぞれ形成された第１端部フィンガー２７ａおよび第２端部フィンガー２８ａを介して偏心輪１１に作用するようになっている。
偏心輪１１は、第１端部フィンガー２７ａおよび第２端部フィンガー２８ａに対して軸方向にオフセットした状態で配置されており、軸方向に曲折した形状をそれぞれ呈する第１端部フィンガー２７ａおよび第２端部フィンガー２８ａは、相互に軸Ａを中心として半径方向の反対側に配置されている。
偏心輪１１には、ドライバー１０と係合する中央開口が形成されており、第１端部フィンガー２７ａおよび第２端部フィンガー２８ａは、前記中央開口に形成された側方切欠部に係合するとともにドライバー１０と偏心輪１１との間において終端している。
偏心輪１１は、軸Ａを中心として対称な状態で第１バネ２７および第２バネ２８と係わり合うように構成されているため、全体として横方向の力に関して釣り合いのとれた状態で第１バネ２７および第２バネ２８から作用を受けるようになっている。
【００２０】
前述した実施例の一変形例において、バネ機構１１７は、一方が他方の内側に入れ子状に収められる第１バネ１２７と第２バネ１２８とを有しており、これら第１バネ１２７と第２バネ１２８は、前述した第１端部フィンガー２７ａおよび第２端部フィンガー２８ａの代わりに、半径方向内方に屈曲した第１フック１２７ｂと第２フック１２８ｂとを有している。
偏心輪１１１に軸方向に突出形成された突起部１１１ｂが、第１フック１２７ｂと第２フック１２８ｂとにそれぞれ係合している。
なお、本変形例では、これ以外の構成は、前述した実施例と全く同じである。
【００２１】
なお、第１バネ２７および第２バネ２８または第１バネ１２７および第２バネ１２８は、これらバネが相互に軸方向にオフセットした状態で配置されているとともにこれらバネの突起部のみが軸方向に同一平面上で重なるように設計されていても良く、この場合、一方が他方の内側に入れ子状に収められているものとして考えることができる。
【図面の簡単な説明】
【００２２】
【図１】本発明の一実施例である車両座席用取り付け具の分解組み付け図。
【図２】車両座席の概略図。
【図３】車両座席用取り付け具の一部を示す平面図。
【図４】バネ機構の斜視図。
【図５】本発明の変形例におけるバネ機構を示す斜視図。
【図６】本発明の変形例における偏心輪を示す斜視図。
【符号の説明】
【００２３】
１            ・・・  車両座席
３            ・・・  座席部材
４            ・・・  背もたれ
５            ・・・  車両座席用取り付け具
７            ・・・  第１取り付け部材
８            ・・・  第２取り付け部材
９            ・・・  留め輪
１０          ・・・  ドライバー
１０´        ・・・  リブ
１１、１１１  ・・・  偏心輪
１１１ｂ      ・・・  突起部
１３          ・・・  固定部材
１３´        ・・・  ラグ
１４          ・・・  歯付きリング
１５          ・・・  ガイドセグメント
１７、１１７  ・・・  バネ機構
１９          ・・・  制御ディスク
１９´        ・・・  スロットガイドセグメント
２０          ・・・  固定リング
２１          ・・・  第１偏心カム
２２          ・・・  第２偏心カム
２３          ・・・  固定カム
２７、１２７  ・・・  第１バネ
２７ａ        ・・・  第１端部フィンガー
２８、１２８  ・・・  第２バネ
２８ａ        ・・・  第２端部フィンガー
１２７ｂ      ・・・  第１フック
１２８ｂ      ・・・  第２フック
Ａ            ・・・  軸
Ｐ            ・・・  ポイント
【図１】
2009509597.tif 000003
【図２】
2009509597.tif 000004
【図３】
2009509597.tif 000005
【図４】
2009509597.tif 000006
【図５】
2009509597.tif 000007
【図６】
2009509597.tif 000008
【国際調査報告】
2009509597.tif 000009
2009509597.tif 000010
2009509597.tif 000011
2009509597.tif 000012